(57)【要約】【課題】油が過剰に提供されることがないミシンの給油潤滑装置及びミシンを提供する。【解決手段】針棒４３及び軸受部５７で潤滑油が消費されると、その消費された分量の潤滑油は、第二油芯５４の毛細管現象により、第二油溜５３から給油パット５５へ供給される。また、第二油溜５３でも針棒４３及び軸受部５６に潤滑油を給油する。そして、第二油溜５３に染みこんでいる潤滑油が不足して来た場合には、その不足分の潤滑油は第一油芯５の毛細管現象により、油タンク１０（第一油溜）から第二油溜５３へ供給される。従って、第二油溜５３の潤滑油が不足した場合にのみ油タンク１０（第一油溜）から第一油芯５を介して給油されるので、第二油溜５３に潤滑油が過剰になることがない。従って、第二油溜５３からの潤滑油漏れも防止できる。【選択図】図３
2012205857.tif 000002
【特許請求の範囲】
【請求項１】
ミシンの内部に設けられ潤滑油を溜める第一油溜と、
針棒を摺動可能に支持するアームの先端側底面に設けられ潤滑油を溜める第二油溜と、
前記第一油溜と前記第二油溜との間に張り渡され、前記第一油溜から前記第二油溜に潤滑油を供給する第一油芯と、
前記第二油溜から前記針棒の上部の軸受部に潤滑油を供給する第二油芯と
を備えたことを特徴とするミシンの給油潤滑装置。
【請求項２】
前記第二油溜には、潤滑油を吸収する油吸収部材を設け、
当該油吸収部材の一部を前記針棒の下部の軸受部に接触させることを特徴とする請求項１に記載のミシンの給油潤滑装置。
【請求項３】
請求項１又は２に記載の給油潤滑装置を備えたミシン。
【発明の詳細な説明】
【技術分野】
【０００１】
本発明は、ミシンの針棒に油を給油する給油潤滑装置及び給油潤滑装置を備えたミシンに関する。
【背景技術】
【０００２】
従来、ミシンの針棒や針棒抱きは、摺動運動を行うために、潤滑油やグリスによる潤滑が必要である。そのために、例えば、紐状の油芯の一端をオイルパン部やベッドに固定されているオイルタンク等の油だまり部に浸し、毛細管現象を利用して針棒近傍に潤滑油を持ってくるものや（以下、「第一の方法」という。）、摺動部にグリスを保持して潤滑を行うものや（以下、「第二の方法」という。）、これら第一の方法と第二の方法とを組み合わせたものが知られている。しかしながら、第一の方法では、潤滑油が供給され過ぎてアーム外に油漏れを起こし、縫製対象の生地を汚す虞がある。そこで、溜まった油をポンプなどにより油溜部へ戻す還流装置が必要になる。また、第二の方法では、高性能グリスと摺動部金属表面の特殊処理が必要になり高価となる。
【０００３】
第一の方法で、還流ポンプ無しでも潤滑油が供給過剰になりにくい方法としては、例えば、特許文献１に記載のミシンが提案されている。このミシンでは、アームの針棒近傍内に油吸収部材を置き、アームの針棒近傍部分で潤滑油の循環サイクルを作ることで、潤滑油を過剰にせず、アーム外への潤滑油の漏れを防ぐようにしている。
【先行技術文献】
【特許文献】
【０００４】
【特許文献１】特開平６−１９０１８２号公報
【発明の概要】
【発明が解決しようとする課題】
【０００５】
しかしながら、特許文献１に記載のミシンでは、有る程度潤滑油が循環するが、一端が油溜部に接した油芯の他端部が循環サイクルの上部で針棒に接触しているため、ここでの毛細管現象により過剰に油が供給される虞れがあるという問題点があった。
【０００６】
本発明の目的は、油が過剰に提供されることがないミシンの給油潤滑装置及びミシンを提供することである。
【課題を解決するための手段】
【０００７】
本発明の第１の態様に係るミシンの給油潤滑装置は、ミシンの内部に設けられ潤滑油を溜める第一油溜と、針棒を摺動可能に支持するアームの先端側底面に設けられ潤滑油を溜める第二油溜と、前記第一油溜と前記第二油溜との間に張り渡され、前記第一油溜から前記第二油溜に潤滑油を供給する第一油芯と、前記第二油溜から前記針棒の上部の軸受部に潤滑油を供給する第二油芯とを備えたことを特徴とする。
【０００８】
このミシンの給油潤滑装置では、針棒の上部の軸受部の潤滑油が消費されると、第二油溜から第二油芯の毛細管現象により潤滑油が供給される。第二油溜の潤滑油が不足すると第一油溜から第一油芯の毛細管現象により潤滑油が供給される。従って、ポンプが不要で、シンプルな構成で油漏れの発生しない給油潤滑装置を実現できる。
【０００９】
また、上記ミシンの給油潤滑装置では、前記第二油溜には、潤滑油を吸収する油吸収部材を設け、当該油吸収部材の一部を前記針棒の下部の軸受部に接触させるようにしても良い。このミシンの給油潤滑装置では、前記第二油溜には、潤滑油を吸収する油吸収部材が設けられているので、針棒や針棒抱きの運動で飛び散った潤滑油は、アームの壁面を垂れて第二油溜の油吸収部材に回収され漏れ出すことを防止できる。また、第二油溜から針棒の下部の軸受部に潤滑油を供給することができる。
【００１０】
本発明の第二態様のミシンにおいは、上記の給油潤滑装置を備えても良い。このミシンにおいては、ポンプが不要で、シンプルな構成で油漏れの発生しないミシンを実現できる。
【図面の簡単な説明】
【００１１】
【図１】ミシン２の正面図である。
【図２】ミシン２内部の駆動機構を示す斜視図である。
【図３】ミシンの給油潤滑装置示す斜視図である。
【発明を実施するための形態】
【００１２】
以下、本発明の一実施形態について説明する。以下の説明では、図１の表面側、背面側、上側、下側、左側、右側を、夫々ミシン２の前側、後側、右側、左側、上側、及び下側とする。
【００１３】
図１〜図３を参照して、ミシン２について説明する。図１に示すように、ミシン２は、水平方向に延設されたベッド部２１と、当該ベッド部２１の後端側に垂直に立設された脚柱部２２と、当該脚柱部２２の上端部からベッド部２１と平行にミシン２の前端部方向に延設されたアーム部２３とを備えている。また、図２に示すように、ベッド部２１の下側には、油タンク１０、下回転軸３６、軸受部５０、及び全回転釜（図示外）等を備えている。油タンク１０は、潤滑用の油を収容する。油タンク１０は、脚柱部２２の下方に設けられている。
【００１４】
脚柱部２２は、ベッド部２１の右側から上方に立設してある。アーム部２３は、脚柱部２２の上部から左方に延びる。アーム部２３は、ベッド部２１と対向する。図１に示すように、アーム部２３の左端部は、押さえ足４８及び縫針４２を下方に備えている。アーム部２３の左端部内には、図示外の押さえ棒、バネ、糸調子駆動機構、及び、押さえ足駆動機構等を内部に備えている。
【００１５】
次に、図２を参照し、ミシン２の駆動機構について説明する。ミシン２は、上回転軸３１、連結回転軸３３、及び下回転軸３６を備えている。上回転軸３１は、アーム部２３（図１参照）内を左右方向に延びている。連結回転軸３３は、脚柱部２２（図１参照）内を上下方向に延びている。下回転軸３６は、ベッド部２１（図１参照）内を左右方向に延びている。
【００１６】
上回転軸３１は、右端に図示しないミシンモータ備えている。上回転軸３１は、ミシンモータの駆動によって回転する。上回転軸３１は、その左右方向略中央部分において軸受部４７に支持されている。軸受部４７は円筒形である。軸受部４７は、前側に設けた穴から潤滑用の油を取り込むことができる。油を供給する第二供給路８２は、この穴に接続している。
【００１７】
上回転軸３１は、軸受部４７の右側に、傘状の歯車３２を備えている。上回転軸３１の左端には、針棒上下動機構４１が設けてある。針棒上下動機構４１は、アーム部２３（図１参照）内を上下方向に延びる針棒４３を支持している。針棒４３は、下端に縫針４２を備えている。針棒上下動機構４１は、前記ミシンモータによる上回転軸３１の回転によって駆動する。針棒上下動機構４１の駆動によって、針棒４３は上下動する。
【００１８】
連結回転軸３３は、上端に傘状の歯車３４を備えている。歯車３４は、歯車３２と噛み合っている。連結回転軸３３は、上回転軸３１の回転によって回転する。連結回転軸３３は、下端に傘状の歯車３５を備えている。連結回転軸３３は、ミシンモータによって回転する上回転軸３１の回転駆動力を後述する下回転軸３６に伝達する。
【００１９】
下回転軸３６は、右端に傘状の歯車３７を備えている。歯車３７は、歯車３５と噛み合っている。下回転軸３６は、連結回転軸３３の回転に伴い回転する。下回転軸３６は、左端に全回転釜（図示外）を備えている。全回転釜は、下回転軸３６の回転によって駆動する。全回転釜は、縫針４２の上下動と同期して回転する。下回転軸３６のうち全回転釜の右側に設けた軸受部（図示外）は、下回転軸３６を受けている。軸受部は、プランジャーポンプ（図示外）を内部に備えている。前記プランジャーポンプは、油タンク１０に収容した油を、第一供給路を介して吸い込む。前記プランジャーポンプは、吸い込んだ潤滑油を第二供給路８２に送り出す。
【００２０】
歯車３５及び歯車３７の下方に、箱形の油タンク１０が設けてある。油タンク１０は、半透明の樹脂で箱形状に形成され、脚柱部２２の下方のベッド部２１に固定してある。箱形の油タンク１０は、ミシン２の各駆動機構に供給する潤滑油を収容する。油タンク１０上面の油受部１１は、第二供給路８２及び軸受部４７を介して歯車３２に供給した潤滑油が垂れ落ちた場合、垂れ落ちた潤滑油を受けることができる。潤滑油を供給した歯車３２が歯車３４と共に回転すると、潤滑油が霧状となって周囲に放出する。放出した霧状の潤滑油は、脚柱部２２内に飛散する。油受部１１は、脚柱部２２内に飛散した霧状の潤滑油が下方に落ちた場合、落ちた潤滑油を受けることができる。尚、油タンク１０が第一油溜の一例である。
【００２１】
次に、図３を参照して、ミシン２の針棒４３の給油潤滑装置４について説明する。給油潤滑装置４は、油タンク１０（第一油溜）と油タンク１０から潤滑油を第二油溜５３まで供給する第一油芯５と、第二油溜５３から針棒４３の上部の軸受部５７へ潤滑油を供給する第二油芯５４と、第一油芯５を保持する保持部材５１と、第一油芯５を案内する内部中空の円筒の案内部材５２から構成されている。
【００２２】
第一油芯５は、図２及び図３に示すように、一端部を油タンク１０内の潤滑油に浸けて、アーム部２３（図１参照）内を油タンク１０から針棒上下動機構４１の固定部に固定された保持部材５１まで通り、保持部材５１により保持されている。また、保持部材５１を通り抜けた第一油芯５は、針棒４３と平行に下方に案内部材５２により案内されて他端部が、第二油溜５３に接続されている。
【００２３】
第二油溜５３は、図１に示すアーム部２３の左側の下端部に設けられた顎部２４内の底部の上面に設けられており、潤滑油を吸収して溜めるフェルト等から構成されている。 第二油溜５３には、針棒４３が貫通しており、第二油溜５３を構成するフェルトと針棒４３が接触して針棒４３及び軸受部５６に潤滑油が給油されるようになっている。
【００２４】
また、第二油溜５３と第一油芯５との接続部と反対側の第二油溜５３の端部には、第二油芯５４の一端部が接続され、第二油芯５４の他端部は、針棒４３と平行に上方に延設され、軸受部５７に設けられたフェルトから構成された給油パット５５に接続されている。軸受部５７では、この給油パット５５から給油されるようになっている。尚、第一油芯５及び第二油芯５４は、繊維を撚り合わせた紐に構成されており、潤滑油を毛細管現象で運ぶようになっている。
【００２５】
次に、図３を参照して、上記構成の給油潤滑装置４の動作を説明する。針棒４３及び軸受部５７で潤滑油が消費されると、その消費された分量の潤滑油は、第二油芯５４の毛細管現象により、第二油溜５３から給油パット５５へ供給される。また、第二油溜５３でも針棒４３及び軸受部５６に潤滑油を給油する。そして、第二油溜５３に染みこんでいる潤滑油が不足して来た場合には、その不足分の潤滑油は第一油芯５の毛細管現象により、油タンク１０（第一油溜）から第二油溜５３へ供給される。従って、第二油溜５３の潤滑油が不足した場合にのみ油タンク１０（第一油溜）から第一油芯５を介して給油されるので、第二油溜５３に潤滑油が過剰になることがない。従って、第二油溜５３からの潤滑油漏れも防止できる。尚、第二油溜５３は、アーム部２３内に飛び散ってアーム部２３の内壁を垂れた潤滑油を吸収することができる。
【００２６】
尚、本発明は、上記実施形態に限らず、各種の変形が可能である。例えば、第二油溜５３は必ずしもフェルトに限られず、潤滑油を吸収保持できるものであれば、各種の部材を用いることができる。
【符号の説明】
【００２７】
２  ミシン
４  給油潤滑装置
５  第一油芯
１０  油タンク
１１  油受部
２１  ベッド部
２２  脚柱部
２３  アーム部
２４  顎部
４３  針棒
５１  保持部材
５２  案内部材
５３  第二油溜
５４  第二油芯
５５  給油パット
５６  軸受部
５７  軸受部
【図１】
2012205857.tif 000003
【図２】
2012205857.tif 000004
【図３】
2012205857.tif 000005